(57)【特許請求の範囲】
【請求項１】
レンズフレームと、前記レンズフレームの両側部に取り付けられたバックルと、前記バックルに両先端部が長さ調節可能に掛けまわされているヘッドバンドとを有し、前記ヘッドバンドがバンド通しを備えている水中マスクにおいて、
前記ヘッドバンドは柔軟弾性材料で形成されており、前記両先端部は前記ヘッドバンドの長さ方向へ平行して延びる両側縁部を有し、前記両側縁部間の幅と前記両側縁部に沿う部分の厚さとがほぼ一様に形成されており、前記先端部の前記マスク着用者の頭部に当接する内面の幅方向中央部には、前記先端部の長さ方向へ間欠的に並び、前記長さ方向において前記先端部の先へ向かう方向へ緩やかに傾斜する前面と、それとは反対の方向へ急に傾斜する後面とを有して前記内面から突出し、前記先端部より幅が小さい複数の係合歯が形成されており、
前記バンド通しは、前記先端部を前記水中マスクの後方から前方へ向かって通す第１挿通孔と、前記バックルに掛けまわした後に前記水中マスクの前方から後方へ向かって通す第２挿通孔とを有し、前記第１挿通孔には、前記先端部の側縁に沿う部分を通すことが可能な第１挿通部と、前記係合歯を通すことが可能であって前記第１挿通部につながる第２挿通部とが形成され、
前記第１挿通部は、前記先端部の幅および厚さとほぼ同じかまたは極く僅かだけ大きい幅および高さとを有し、
前記第２挿通部は、前記第１挿通部より小さい幅を有し、
前記第２挿通孔は、その高さが前記先端部の厚さとほぼ同じであるかそれよりも僅かに大きく、前記先端部の厚さと前記係合歯の突出高さとの和よりも小さく作られていることを特徴とする前記水中マスク。
【請求項２】
複数の前記係合歯は、前記ヘッドバンドの長さ方向においてほぼ一定の間隔をあけて形成されており、前記第２挿通孔の前記長さ方向の寸法が前記一定の間隔に同じである請求項１記載の水中マスク。
【発明の詳細な説明】
【０００１】
【発明の属する技術分野】
この発明は、ダイビング等に使用する水中マスクに関する。
【０００２】
【従来の技術】
従来、レンズフレームの両側にバックルを有し、これらのバックルにヘッドバンドが長さ調節可能に掛けまわされている水中マスクは周知である。また、このヘッドバンドをウレタンゴム等の柔軟にして弾性のある材料で作り、バックルに掛けまわしたヘッドバンドの先端部がダイビングのときの邪魔にならないようにこの先端部をバンド通しで抑えることも周知である。ヘッドバンドには、その長さ方向に間欠的に並ぶ複数の係合歯が形成されており、この係合歯のいずれかとバックルとを係合させることによってヘッドバンドの長さが調節される。
【０００３】
【発明が解決しようとする課題】
前記従来の水中マスクにおいて、バンド通しには、バンドの先端部を水中マスク後方から前方へ向かって通す第１挿通孔と、バックルに掛けまわした後の先端部を前方から後方へ向かって通す第２挿通孔とが形成されている。これら挿通孔は、ヘッドバンドを容易に通すことができるように、ヘッドバンドの断面形状よりもかなり大きく作られている。ヘッドバンドの長さを調節するときには、バンド通しの第１挿通孔において、ヘッドバンドを前進させたり後退させたりして、ヘッドバンドの複数の係合歯のうちで最も適切なものをバックルと係合させる。しかるに、ヘッドバンドはシリコンゴム等からなる極めて柔軟なもので、長さを調節するときにバンド通しの第１挿通孔の中で踊って、係合歯が第１挿通孔の周縁部に当たり、ヘッドバンドのスムーズな前進・後退の妨げになることがある。
【０００４】
この発明は、前記従来の水中マスクにおいて、ヘッドバンドがその長さを調節するときにバンド通しの内側をスムーズに前進・後退できるように改良を施すことを課題にしている。
【０００５】
【課題を解決するための手段】
前記課題解決のために、この発明が対象とするのは、レンズフレームと、前記レンズフレームの両側部に取り付けられたバックルと、前記バックルに両先端部が長さ調節可能に掛けまわされているヘッドバンドとを有し、前記ヘッドバンドがバンド通しを備えている水中マスクである。
【０００６】
かかる水中マスクにおいて、この発明が特徴とするところは、次のとおりである。前記ヘッドバンドは柔軟弾性材料で形成されており、前記両先端部は前記ヘッドバンドの長さ方向へ平行して延びる両側縁部を有し、前記両側縁部間の幅と前記両側縁部に沿う部分の厚さとがほぼ一様に形成されており、前記先端部の前記マスク着用者の頭部に当接する内面の幅方向中央部には、前記先端部の長さ方向へ間欠的に並び、前記長さ方向において前記先端部の先へ向かう方向へ緩やかに傾斜する前面と、それとは反対の方向へ急に傾斜する後面とを有して前記内面から突出し、先端部より幅が小さい複数の係合歯が形成されており、前記バンド通しは、前記先端部を前記水中マスクの後方から前方へ向かって通す第１挿通孔と、前記バックルに掛けまわした後に前記水中マスクの前方から後方へ向かって通す第２挿通孔とを有し、前記第１挿通孔には、前記先端部の側縁に沿う部分を通すことが可能な第１挿通部と、前記係合歯を通すことが可能であって前記第１挿通部につながる第２挿通部とが形成され、前記第１挿通部は、前記先端部の幅および厚さとほぼ同じかまたは極く僅かだけ大きい幅および高さとを有し、前記第２挿通部は、前記第１挿通部より小さい幅を有し、前記第２挿通孔は、その高さが先端部の厚さとほぼ同じであるかそれよりも僅かに大きく、前記先端部の厚さと前記係合歯の突出高さとの和よりも小さく作られている。
【０００７】
この発明の好ましい実施態様において、複数の前記係合歯は、前記ヘッドバンドの長さ方向においてほぼ一定の間隔をあけて形成されており、前記第２挿通孔の前記長さ方向の寸法が前記一定の間隔に同じである。
【０００８】
【発明の実施の形態】
添付の図面を参照して、この発明に係る水中マスクの詳細を説明すると、以下のとおりである。
【０００９】
図１に斜視図で示された水中マスク１は、一対のレンズ２が嵌められたレンズフレーム３と、レンズフレーム３から後方へ延びるラバースカート４と、レンズフレーム３の両側に設けられたバックル６と、両先端部７がバックル６に掛けまわされているヘッドバンド８とからなり、ヘッドバンド８がバンド通し９を有する。レンズ２は、無機または有機ガラスからなり、レンズフレーム３は硬質プラスチックで形成されている。ラバースカート４は、前方に突出する鼻つまみ部１１を有し、全体がシリコンラバー等の柔軟弾性材料で形成されている。バックル６とバンド通し９とは、硬質プラスチックで形成され、ヘッドバンド８は、スカート４と同様にシリコンラバー等の柔軟弾性材料で形成されている。
【００１０】
バックル６は、掛けまわされたヘッドバンド８の先端部７にばね付勢下に圧接するアーム１２を有する。アーム１２をばね付勢に抗して矢印Ａ方向へ動かすと、ヘッドバンド８に対する圧接が解けて、ヘッドバンド８の周長が長くなるように先端部７を水中マスク１の前後方向へ動かすことができる。
【００１１】
ヘッドバンド８は、水中マスク１の着用者頭部の後方に位置する中間部１５と、中間部１５から前方ヘ延びる一対の先端部７とからなり、頭部に当接する内面１６と、内面１６の反対側の外面１７とを有する。先端部７は、とがった最先端部７ａを除いて、図の上下で互いに平行する両側縁１８を有し、側縁１８と１８との間の幅ｗと側縁１８に沿う部分１９の厚さｔ（図３を併せて参照）とはほぼ一様に形成されている。ただし、先端部７の内面１６における幅方向の中央部には、その幅方向に長く、先端部７の長さ方向へ間欠的に並び、内面１６から突出し、幅が先端部７より小さい複数の係合歯２０が形成されている。
【００１２】
バンド通し９は、第１挿通孔２１と第２挿通孔２２とを有し、第１挿通孔２１にはヘッドバンド８の先端部７が水中マスク１の後方から前方へ向かって通されており、第２挿通孔２２にはヘッドバンド８の先端部７が前方から後方へ向かって通されている。
【００１３】
図２は、図１のＩＩ−ＩＩ線に沿う切断面を示す図である。ヘッドバンド８は、先端部７が水中マスク１の後方から前方（図の右方から左方）へ延びており、バックル６の支軸２６に掛けまわされて最先端部７ａが後方へ向かって延びている。先端部７における内面１６に形成された複数の係合歯２０は、ヘッドバンド８の長さ方向へ等間隔ｃで並んでいる。図において先端部７が後方から前方ヘ延びる部分では、係合歯２０が前後方向への緩やかな傾斜を有する前面２７と、前後方向への急な傾斜を有する後面２８とを有し、図では、その後面２８が先端部７に対してほぼ垂直に延びている。支軸２６に掛けまわされている部分の先端部７では、バックル６のアーム１２に形成された係合突起２９が矢印Ａとは逆の方向へばね付勢された状態で係合歯２０における後面２８の基端部に圧接している。先端部７が矢印Ｂ方向へ引張られると、係合歯２０の前面２７が図の上方からアーム１２の係合突起２９を押圧し、アーム１２を矢印Ａ方向へ旋回させる。先端部７は、矢印Ｂ方向へ動くのでヘッドバンド８の周囲長が短くなる。先端部７が矢印Ｂとは反対の方向へ引張られたときには、係合歯２０の後面２８が図の下方からアーム１２の係合突起２９を押圧して、突起２９がヘッドバンド８の先端部７に強く当たる。そのような突起２９の動きによって、先端部７が矢印Ｂとは反対の方向へ動いてヘッドバンド８の周囲長が長くなるということは阻止される。しかし、アーム１２の摘み３１を持って矢印Ａ方向へ旋回させれば、アーム１２の突起２９が先端部７から離れるので、先端部７を矢印Ｂとは反対の方向へ移動させてヘッドバンドの周囲長を長くすることができる。
【００１４】
バンド通し９では、ヘッドバンド８の先端部７が第１挿通孔２１を通過して前記方向、すなわち矢印Ｂ方向とその反対方向へ動くことができる。しかし、第２挿通孔２２では、その高さｅが先端部７の厚さｔとほぼ同じであるか、それよりも僅かに大きい程度であって、その厚さｔと係合歯２０の突出高さｈとの和よりもはるかに小さい。また、第２挿通孔２２では、前後方向の寸法ｆが隣り合う係合歯２０と２０との間隔ｃとほぼ同じである。それゆえ、第２挿通孔２２を挟んで隣り合う係合歯２０と２０とは、いずれも第２挿通孔２２を容易に通り抜けることがない。図示例のバンド通し９は、ヘッドバンド８の最先端部７ａに位置する係合歯２０ａと２０ｂとに挟まれており、その最先端部７ａからは簡単に抜脱することがない。係合歯２０ａ，２０ｂは、その突出高さｈが低くなるように強く押圧されたときに第２挿通孔２２を通過可能になる。
【００１５】
図３は、バンド通し９の斜視図であり、併せてバックル６が実線で、ヘッドバンド８の先端部７が仮想線で示されている。バンド通し９では、第１、２挿通孔２１，２２がヘッドバンド８の幅方向に一致する幅と、ヘッドバンド８の厚さ方向に一致する高さとを有する。かようなバンド通し９の第１挿通孔２１は、帯状を呈する先端部７の側縁１８に沿う部分１９を通すことが可能な第１挿通部３１と、先端部７に形成された係合歯２０を通すことが可能な第２挿通部３２とを有する。第１挿通部３１は、先端部７の幅方向へ延びる幅ｇと、厚さ方向へ延びる高さｉとを有し、これら幅ｇと高さｉとは、先端部７が前後方向へ動くときに、その先端部７の側縁１８に沿う部分１９が摺動する程度に、換言すると先端部７の幅ｗと厚さｔとにほぼ同じであるかまたは極く僅かだけ大きくなるように形成されている。第２挿通部３２は、幅ｊと高さｋとを有し、これら幅ｊと高さｋとは、係合歯２０が拘束を受けることなく通過できるように、係合歯２０の幅ｍと高さｈよりも大きく、かつ、第２挿通部３２の幅ｊは第１挿通部３１の幅ｇよりも小さく形成されている。第２挿通孔２２の幅ｎは、第１挿通部３１の幅ｇと同じである。係合歯２０のうちで、先端部７の最先端部７ａに位置する係合歯２０ａは、その幅ｍが先端部７の幅ｗとほぼ同じ程度であるかそれよりも僅かに小さく、バンド通し２０の先端部７からの抜脱を防いでいる。残余の係合歯２０では、その幅ｍが好ましくは係合歯２０ａのそれよりも小さく作られている。図において、アーム１２を有するバックル６は、レンズフレーム２に着脱可能に作られているものであるが、着脱のための構造は慣用技術によればよいものであるから、その説明を省略する。
【００１６】
このように形成された水中マスク１では、柔軟弾性材料で形成されたヘッドバンド８の先端部７が、バンド通し９に形成された先端部７の幅ｗおよび厚さｔとほぼ同じか、または極く僅かだけ大きい幅ｇおよび高さｉを有する第１挿通部３１に摺動しながら案内されることによって、ヘッドバンド８の長さを調節するときに第１挿通孔２１の中で踊って、係合歯２０が第１挿通孔２１の周縁部に当たり、ヘッドバンド８の前進・後退の妨げになることがなくなり、長さを調節するときの前後方向への動きがスムーズになる。また、先端部７は、その最先端部７ａが第２挿通孔２２の内側にフィットして、孔２２の内側で徒に踊ることがないから、その最先端部７ａの形状も安定して先端部７がよじれたり、ねじれたりすることを防止する効果が一層高まる。
【００１７】
【発明の効果】
この発明に係る水中マスクでは、ヘッドバンドの先端部が、バンド通しに形成された先端部の幅および厚さとほぼ同じか、または極く僅かだけ大きい幅および高さを有する第１挿通部に摺動しながら案内されるから、ヘッドバンドに形成された係合歯が第１挿通孔の周縁部に当たって前進・後退の妨げになることがなく、スムーズに前後へ動く。
【図面の簡単な説明】
【図１】水中マスクの斜視図。
【図２】図１のＩＩ−ＩＩ線切断面を示す図。
【図３】バンド通しの斜視図。
【符号の説明】
１      水中マスク
３      レンズフレーム
６      バックル
７      先端部
８      ヘッドバンド
９      バンド通し
１６      内面
１７      外面
１８      側縁
１９      側縁に沿う部分
２０      係合歯
２１      第１挿通孔
２２      第２挿通孔
【図１】
0003861016.tif 000002
【図２】
0003861016.tif 000003
【図３】
0003861016.tif 000004